(57)【要約】【課題】特定規模電気事業者から電力需要家に、電力需要家の使用電力量情報や電気料金情報を迅速かつ確実に提示する需要家情報サービス提供装置を得る。【解決手段】特定規模電気事業者に設置された特定規模電気事業者サーバ１０１は、電力会社システム１０２から取得した電力需要家毎の使用電力量実績情報を蓄積した需要家使用電力量実績データベース２０１と、需要家向け料金体系を保存した需要家向け料金体系データベース２０２と、電力需要家毎の使用電力量データ及び需要家向け料金体系に基き、電力需要家の使用料金を計算する料金計算手段４０１とを有し、電力需要家装置１０３にインターネットを介して使用電力量データと使用料金を提供するようにした。【選択図】図１
2007287021.tif 000002
【特許請求の範囲】
【請求項１】
電力小売を行う特定規模電気事業者に設置され、ネットワークを介する要求に応じて電力使用量についての情報を提供するサーバを備え、
上記サーバは、電力会社システムから取得した電力需要家毎の使用電力量実績情報を蓄積した需要家使用電力量実績データベースを有し、この需要家使用電力量実績データベースに蓄積された上記電力需要家の使用電力量データを提供することを特徴とする需要家情報サービス提供装置。
【請求項２】
上記サーバは、上記需要家向け料金体系を保存した需要家向け料金体系データベースと、上記需要家使用電力量実績データベースに蓄積された電力需要家毎の使用電力量データ及び上記需要家向け料金体系データベースに保存された需要家向け料金体系に基き、上記電力需要家の使用料金を計算する料金計算手段とを有することを特徴とする請求項１記載の需要家情報サービス提供装置。
【請求項３】
上記料金計算手段による計算結果は、ネットワークを介するブラウザ画面上に表示されることを特徴とする請求項２記載の需要家情報サービス提供装置。
【請求項４】
上記ブラウザ画面上で、上記電力需要家が予想使用電力量を入力することにより、上記料金計算手段は、上記入力された予想使用電力量を用いて上記使用料金を計算することを特徴とする請求項３記載の需要家情報サービス提供装置。
【発明の詳細な説明】
【技術分野】
【０００１】
この発明は、電力小売を行う特定規模電気事業者が、その顧客である電力需要家へ使用電力量情報の提供を行う需要家情報サービス提供装置に関するものである。
【背景技術】
【０００２】
電力需要家は、電力事業者や特定規模電気事業者から購入した電力量の情報を需要家自身で保管し、電気料金削減の検討など、何らかの分析に用いることが一般的である。
電力需要家が需要家自身の設備にデータ収集装置を設置し、電力需要家による料金検討を支援する技術として特許文献１に記載されている電力契約提案装置および電力契約提案方法がある。この技術では、電力需要家が、使用する実際の電力量の計測データを蓄積し、蓄積された電力量の計測データと電力需要家が電力料金を試算したい契約内容に対応する電力料金に関する情報とに基づいて電気料金を試算するようにしている。
【０００３】
【特許文献１】特開２００４−２１６６０号公報（第３〜７頁、図１）
【発明の開示】
【発明が解決しようとする課題】
【０００４】
特許文献１に記載された従来技術では、電力需要家側に使用電力量情報を収集、蓄積する装置が必要である。しかし、電力需要家にそのような装置を設置するためには、ある程度の費用、スペースが必要であり、条件を満たせない電力需要家は、電力料金を試算することができないという問題があった。
また、特定規模電気事業者の立場から見ると、電力需要家から料金体系見直しの依頼があった場合、その都度、使用電力量の把握及び料金計算などの対応を実施する必要があり、契約する需要家数に比例して対応に費やす時間が長くなる可能性が高いという問題もあった。そのため、特定規模電気事業者は、迅速かつ正確に使用電力量情報と、料金体系に基く料金情報を電力需要家に知らせることにより、電力需要家への情報提供サービスを高度化する必要がある。
【０００５】
この発明は、上述のような課題を解決するためになされたものであり、特定規模電気事業者から電力需要家に、電力需要家の使用電力量情報や電気料金情報を迅速かつ確実に提示する需要家情報サービス提供装置を得ることを目的にしている。
【課題を解決するための手段】
【０００６】
この発明に係わる需要家情報サービス提供装置においては、電力小売を行う特定規模電気事業者に設置され、ネットワークを介する要求に応じて電力使用量についての情報を提供するサーバを備え、
サーバは、電力会社システムから取得した電力需要家毎の使用電力量実績情報を蓄積した需要家使用電力量実績データベースを有し、この需要家使用電力量実績データベースに蓄積された電力需要家の使用電力量データを提供するものである。
【発明の効果】
【０００７】
この発明は、以上説明したように、電力小売を行う特定規模電気事業者に設置され、ネットワークを介する要求に応じて電力使用量についての情報を提供するサーバを備え、
サーバは、電力会社システムから取得した電力需要家毎の使用電力量実績情報を蓄積した需要家使用電力量実績データベースを有し、この需要家使用電力量実績データベースに蓄積された電力需要家の使用電力量データを提供するので、使用電力量実績情報を迅速かつ確実に提示することが可能になると共に、電力需要家は、新規に装置を設置することなく、自身が使用した電力量を知ることができる。
【発明を実施するための最良の形態】
【０００８】
実施の形態１．
以下、本発明の実施の形態１について図により説明する。
図１は、この発明の実施の形態１による需要家情報サービス提供装置を示す構成図である。
図１において、特定規模電気事業者サーバ１０１は、電力会社システム１０２から受け取った同時同量支援データ３０１（電力需要家毎の３０分毎の使用電力量実績情報をインターネット経由で取得する）を蓄積する需要家使用電力量実績データベース２０１と、需要家向け料金体系を保存した需要家向け料金体系データベース２０２と、これらのデータベースを用いて、料金計算を行う料金計算手段４０１とを有している。
電力需要家装置１０３は、特定規模電気事業者サーバ１０１にインターネットを介して接続されるブラウザ画面として、特定規模電気事業者サーバ１０１から提供される使用電力量実績データ３０２に基き、使用電力量実績を表示する電力量出力画面５０１と、特定規模電気事業者サーバ１０１から提供される電気料金データ３０３に基き、電気料金を出力する電気料金出力画面５０２と、予想使用電力量データ３０４を入力するとともに、この入力された予想使用電力量データ３０４に基づき、特定規模電気事業者サーバ１０１が計算し、提供する予想電気料金データ３０５に基き、予想電気料金を出力する予想値入出力画面５０３とを有している。
【０００９】
図２は、この発明の実施の形態１による需要家情報サービス提供装置の需要家使用電力量実績データベースを示す説明図である。
図２において、１０１、１０２、２０１、３０１は図１におけるものと同一のものである。需要家使用電力量実績データベース２０１には、電力需要家毎の３０分毎の使用電力量が示されている。
【００１０】
図３は、この発明の実施の形態１による需要家情報サービス提供装置の需要家使用電力量実績データベースから電力需要家への使用電力量情報提供の動作を示す説明図である。
図３において、１０１、１０３、２０１、５０１は図１におけるものと同一のものである。電力需要家毎の電力量出力画面５０１が示されている。
なお、電力需要家装置Ａ１０３−ａ、電力需要家装置Ｂ１０３−ｂ、電力需要家装置Ｃ１０３−ｃは、図１の電力需要家装置１０３の個別のものである。
【００１１】
次に、動作について説明する。
特定規模電気事業者サーバ１０１は、電力会社システム１０２から受け取った同時同量支援データ３０１を需要家使用電力量実績データベース２０１に蓄積する。
電力需要家装置１０３は、特定規模電気事業者サーバ１０１に使用電力量実績の情報提供の依頼をし、これに応じて、特定規模電気事業者サーバ１０１は、電力需要家との契約を確認して、使用電力量実績データ３０２を提供し、電力需要家装置１０３の電力量出力画面５０１に使用電力量実績を表示する。
また、電力需要家装置１０３は、特定規模電気事業者サーバ１０１が保有する需要家向け料金体系データベース２０２内の料金メニューから現在締結中の料金契約情報を取り出し、料金計算手段４０１と使用電力量実績データ３０２から計算される、現時点までの電気料金データ３０３の提供を受け、これから電気料金を電気料金出力画面５０２に表示することにより、電力需要家は、現時点までの電気料金を知ることができる。
また、電力需要家は、予想値入出力画面５０３から今後自身が使用すると思われる予想使用電力量データ３０４を入力し、これを電力需要家装置１０３から特定規模電気事業者サーバ１０１に知らせることにより、特定規模電気事業者サーバ１０１は、保有する需要家向け料金体系データベース２０２内の料金メニューで提供されている契約情報と、予想使用電力量データ３０４とを組み合わせ、料金計算手段４０１を用いて、今後の予想電気料金データ３０５を計算し、予想値入出力画面５０３に予想電気料金を表示する。
これにより、電力需要家は、自身にメリットが高い料金メニューを検討し、選択することができる。
【００１２】
以下、実施の形態１の動作を、図２、図３を用いてさらに具体的に説明する。
図２に示すように、最初に特定規模電気事業者サーバ１０１は、電力会社システム１０２から受け取った同時同量支援データ３０１を各電力需要家単位に需要家使用電力量実績データベース２０１に蓄積する。なお、図２中の電力需要家Ｃは、２００５年１２月１日からの契約開始とする。
【００１３】
電力需要家装置Ａ１０３−ａは、図３に示すように、電力需要家自身が契約している特定規模電気事業者サーバ１０１に、例えば、１２月分の使用電力量実績を見たいという、使用電力量実績の取得リクエストを送出し、特定規模電気事業者サーバ１０１は、需要家使用電力量実績データベース２０１の中から電力需要家Ａを選択し、電力量出力画面５０１−ａに表示できるよう、使用電力量実績データ３０２を渡す。
電力需要家装置Ｂ１０３−ｂは、図３に示すように、電力需要家自身が契約している特定規模電気事業者サーバ１０１に、例えば、１１月分の使用電力量実績を見たいという、使用電力量実績の取得リクエストを送出し、特定規模電気事業者サーバ１０１は、需要家使用電力量実績データベース２０１の中から電力需要家Ｂを選択し、電力量出力画面５０１−ｂに表示できるよう、使用電力量実績データ３０２を渡す。
電力需要家装置Ｃ１０３−ｃは、図３に示すように、電力需要家自身が契約している特定規模電気事業者サーバ１０１に、例えば、１１月分の使用電力量実績を見たいという、使用電力量実績の取得リクエストを送出し、特定規模電気事業者サーバ１０１は、需要家使用電力量実績データベース２０１の中から電力需要家Ｃを選択し、電力量出力画面５０１−ｃに表示できるよう、使用電力量実績データ３０２を渡す。なお、契約期間外等でデータが存在しない場合は、その旨を表示できるよう、情報を渡す。
これにより、それぞれの電力需要家装置１０３は、自身の使用電力量情報を契約している特定規模電気事業者サーバ１０１から取得し、表示することができる。
【００１４】
実施の形態１によれば、特定規模電気事業者は、電力需要家に対して、需要家使用電力量実績データベースからリクエストのあった電力需要家の使用電力量実績を取り出し、迅速かつ確実に提示するというサービスを実施することが可能となる。
これにより、電力需要家は、新規に装置を設置することなく、自身が使用した電力量を知ることができる。
【００１５】
実施の形態２．
以下、本発明の実施の形態２について図を用いて説明する。
図４は、この発明の実施の形態２による需要家情報サービス提供装置の需要家向け料金体系データベース及び電力需要家への電力料金情報提供の動作を示す説明図である。
図４において、１０１、１０３、２０１、２０２、４０１、５０２は図１におけるものと同一のものである。電気料金出力画面５０２が示されている。
【００１６】
図４には、特定規模電気事業者サーバ１０１に対し、電力需要家装置１０３から契約中プランによる電気料金提示要求があった場合の動作例を示している。
図４に示すように、電力需要家装置Ａ１０３−ａから特定規模電気事業者サーバ１０１に対して、例えば、１２月分の料金を確認したいというリクエストを送ることにより、特定規模電気事業者サーバ１０１は、特定規模電気事業者サーバ１０１にて保管している電力需要家Ａ自身の使用電力量実績を需要家使用電力量実績データベース２０１の中から取り出し、需要家向け料金体系データベース２０２から現在契約中の料金プランを取り出し、それらの情報から料金計算手段４０１を用いて、電気料金を３０分単位で計算する。
【００１７】
次に、特定規模電気事業者サーバ１０１は、電力需要家装置Ａ１０３−ａにより要求された使用電力量、料金プラン、及び、計算した電気料金をインターネットを介して、電力需要家装置Ａ１０３−ａの電気料金出力画面５０２−ａに表示する。
また、３０分毎の電気料金を１日単位、１か月単位に集約して表示することも可能とする。
【００１８】
実施の形態２によれば、特定規模電気事業者は、電力需要家に対して、需要家使用電力量実績データベース及び需要家向け料金体系データベースの情報を用いて、電力需要家の電気料金を迅速かつ確実に提示するというサービスを実施することが可能となる。
【００１９】
実施の形態３．
以下、本発明の実施の形態３について図を用いて説明する。
図５は、この発明の実施の形態３による需要家情報サービス提供装置の電力需要家から料金プラン変更時のリクエストがあった際の電力料金情報提供の動作を示す説明図である。
図５において、１０１、１０３、２０１、２０２、４０１、５０２は図１におけるものと同一のものである。電気料金出力画面５０２が示されている。
【００２０】
図５に、特定規模電気事業者サーバ１０１に対し、電力需要家装置１０３から契約中プラン以外の別プランで契約した場合の仮の電気料金を提示して欲しいとの要求があった場合の動作例を示す。
図５に示すように、電力需要家装置Ａ１０３−ａから特定規模電気事業者サーバ１０１に対して、例えば１２月分の料金を別プラン３で確認したいとのリクエストを送ることにより、特定規模電気事業者サーバ１０１は、特定規模電気事業者サーバ１０１にて保管している電力需要家Ａ自身の使用電力量実績を需要家使用電力量実績データベース２０１の中から取り出し、需要家向け料金体系データベース２０２から電力需要家Ａが望む料金プラン３を取り出し、それらの情報から料金計算手段４０１を用いて、電気料金を３０分単位で計算する。
【００２１】
次に、特定規模電気事業者サーバ１０１は、電力需要家装置Ａ１０３−ａから要求された使用電力量、料金プラン３、及び、計算した電気料金を、インターネットを介して、電力需要家装置Ａ１０３−ａの電気料金出力画面５０２−ａに表示する。
また、３０分毎の電気料金を１日単位、１か月単位に集約して表示することも可能とする。
【００２２】
実施の形態３によれば、特定規模電気事業者は、電力需要家に対して、需要家使用電力量実績データベース及び需要家向け料金体系データベースの情報を用いて、電力需要家が希望する料金プランで契約した際の電気料金を迅速かつ確実に提示するというサービスを実施することが可能となる。
また、使用電力量実績情報を元に、さまざまの料金プランによる料金計算シミュレーションを実施することで料金予測を行い、かつ、料金支払い実績と料金予測の比較や、複数の料金予測を比較することにより、迅速に電力需要家にとってより有利な条件での電力購入条件を検討することが可能となる。
【００２３】
実施の形態４．
以下、本発明の実施の形態４について図を用いて説明する。
図６は、この発明の実施の形態４による需要家情報サービス提供装置の電力需要家から使用電力量が変わった場合の料金提示リクエストがあった際の電力料金情報提供の動作を示す説明図である。
図６において、１０１、１０３、２０１、２０２、４０１、５０２は図１におけるものと同一のものである。電気料金出力画面５０２が示されている。
【００２４】
図６には、特定規模電気事業者サーバ１０１に対し、電力需要家装置１０３から使用電力量が変わっていたという仮定の元で電気料金提示要求があった場合の動作例を示している。
図６に示すように、電力需要家装置Ａ１０３−ａから特定規模電気事業者サーバ１０１に対して、例えば１２月分の料金を別プラン３で、かつ、使用電力量が変わっていた場合の電気料金を確認したいとのリクエストと、１２月分の予想使用電力量データ３０４とを送る。
これにより、特定規模電気事業者サーバ１０１は、電力需要家Ａ自身の予想使用電力量データ３０４と、需要家向け料金体系データベース２０２から取り出した電力需要家が望む料金プラン３の情報から、料金計算手段４０１を用いて、予想電気料金データ３０５を３０分単位で計算する。
【００２５】
次に、特定規模電気事業者サーバ１０１は、電力需要家装置Ａ１０３−ａから要求された予想使用電力量データ３０４と、料金プランに基き計算した予想電気料金データ３０５とを、インターネットを介して、電力需要家装置Ａ１０３−ａの電気料金出力画面５０２−ａに表示する。
【００２６】
実施の形態４によれば、特定規模電気事業者は、電力需要家に対して、電力需要家が作成した予想使用電力量データ及び需要家向け料金体系データベースの情報を用いて、電力需要家の予想電気料金を迅速かつ確実に提示するというサービスを実施することが可能となる。
【図面の簡単な説明】
【００２７】
【図１】この発明の実施の形態１による需要家情報サービス提供装置を示す構成図である。
【図２】この発明の実施の形態１による需要家情報サービス提供装置の需要家使用電力量実績データベースを示す説明図である。
【図３】この発明の実施の形態１による需要家情報サービス提供装置の需要家使用電力量実績データベースから電力需要家への使用電力量情報提供の動作を示す説明図である。
【図４】この発明の実施の形態２による需要家情報サービス提供装置の需要家向け料金体系データベース及び電力需要家への電力料金情報提供の動作を示す説明図である。
【図５】この発明の実施の形態３による需要家情報サービス提供装置の電力需要家から料金プラン変更時のリクエストがあった際の電力料金情報提供の動作を示す説明図である。
【図６】この発明の実施の形態４による需要家情報サービス提供装置の電力需要家から使用電力量が変わった場合の料金提示リクエストがあった際の電力料金情報提供の動作を示す説明図である。
【符号の説明】
【００２８】
１０１  特定規模電気事業者サーバ、１０２  電力会社システム、
１０３  電力需要家装置、２０１  需要家使用電力量実績データベース、
２０２  需要家向け料金体系データベース、３０１  同時同量支援データ、
３０２  使用電力量実績データ、３０３  電気料金データ、
３０４  予想使用電力量データ、３０５  予想電気料金データ、
４０１  料金計算手段、５０１  電力量出力画面、５０２  電気料金出力画面、
５０３  予想値入出力画面。
【図１】
2007287021.tif 000003
【図２】
2007287021.tif 000004
【図３】
2007287021.tif 000005
【図４】
2007287021.tif 000006
【図５】
2007287021.tif 000007
【図６】
2007287021.tif 000008